(57)【特許請求の範囲】
【請求項１】
ヒノキチオール類に対し、澱粉糖を混合したヒノキチオール類・澱粉糖混合物に、粘料または増粘剤の少なくとも何れか一方の定着剤と、水と、エチルアルコールとを適量ずつ混合してなるものとしたことを特徴とする食品包装用塗料。
【請求項２】
ヒノキチオール類と、トレハロース（登録商標。以下で「トレハロース」と記載のあるところでは、以下、同様。）またはサイクロデキストリンの少なくとも何れか一方の澱粉糖とを混合したヒノキチオール類・澱粉糖混合物に、粘料または増粘剤の少なくとも何れか一方の定着剤と、水と、エチルアルコールとを適量ずつ混合してなるものとしたことを特徴とする食品包装用塗料。
【請求項３】
ヒノキチオール類におけるＰＥＸ−α、ＰＥＸ−αｓ、ＰＥＸ−γｃ、ＰＥＸ−β、ＰＥＸ−δ（何れも商品名）の少なくとも何れか１種に対し、トレハロースまたはサイクロデキストリンの少なくとも何れか一方の澱粉糖を混合したヒノキチオール類・澱粉糖混合物に、粘料または増粘剤の少なくとも何れか一方の定着剤と、水と、カテキンと、エチルアルコールとを適量ずつ混合してなるものとしたことを特徴とする食品包装用塗料。
【請求項４】
ヒノキチオール類に対し、澱粉糖を１：１５ないし１：６０の重量比で混合したヒノキチオール類・澱粉糖混合物に、同ヒノキチオール類・澱粉糖混合物と水とが、１：１００ないし１：２の重量比、および、粘料または増粘剤の少なくとも何れか一方の定着剤と前記水とが、１：１００ないし１：２の重量比、エチルアルコールと前記水とが、１：１００ないし１：２の重量比、カテキンを添加するものの場合には、カテキンと前記水とが、１：１００ないし１：２の重量比とするよう混合してなるものとした、請求項１ないし３何れか一記載の食品包装用塗料。
【請求項５】
定着剤としての粘料が、アルギン酸ナトリウム、アルギン酸カリウムまたはアルギン酸エステルの少なくとも何れか一つからなるものとした、請求項１ないし４何れか一記載の食品包装用塗料。
【請求項６】
定着剤としての増粘剤が、コンニャク粉、オオバコ、グァーガム、その他の澱粉類の少なくとも１種からなるものとした、請求項１ないし５何れか一記載の食品包装用塗料。
【請求項７】
包装対象食品の一部または全部を包装可能な容器本体を有し、該包装対象食品を収容した場合に、同包装対象食品に接触可能に対峙する該容器本体内側壁の一部または全部に、請求項１ないし６何れか一記載の食品包装用塗料を主要成分とする塗料液を膜状に定着した滅菌塗装膜を設けてなるものとしたことを特徴とする食品用包装容器。
【請求項８】
包装対象食品の一部または全部を包装可能であって、一部または全部が透明または半透明の硬質素材製とした容器本体を有し、該包装対象食品を収容した場合に、同包装対象食品に接触可能に対峙する該容器本体内側壁の一部または全部に、請求項１ないし６何れか一記載の食品包装用塗料を主要成分とする水溶塗料液を膜状に定着した滅菌塗装膜を設けてなるものとしたことを特徴とする食品用包装容器。
【請求項９】
包装対象食品の一部または全部を包装可能であって、一部または全部が透明な軟質合成樹脂フィルム製の袋型とした容器本体を有し、該包装対象食品を収容した場合に、同包装対象食品に接触可能に対峙する該容器本体内側壁の一部または全部に、請求項１ないし６何れか一記載の食品包装用塗料を主要成分とする水溶塗料液を膜状に定着した滅菌塗装膜を設けてなるものとしたことを特徴とする食品用包装容器。
【請求項１０】
包装対象食品の一部または全部を包装可能な容器本体を有し、該包装対象食品を収容した場合に、同包装対象食品に接触可能に対峙する該容器本体内側壁の一部または全部に、請求項１ないし６何れか一記載の食品包装用塗料を、水に対し０．１ないし５％希釈とした水溶塗料液を連続膜状に定着した滅菌塗装膜を設けてなるものとしたことを特徴とする食品用包装容器。
【請求項１１】
包装対象食品の一部または全部を包装可能な容器本体を有し、該包装対象食品を収容した場合に、同包装対象食品に接触可能に対峙する該容器本体内側壁の一部または全部に、請求項１ないし６何れか一記載の食品包装用塗料を、水に対し０．１ないし５％希釈とした水溶塗料液を断続膜状に定着した滅菌塗装膜を設けてなるものとしたことを特徴とする食品用包装容器。                                                                      
【発明の詳細な説明】
【技術分野】
【０００１】
この発明は、食品の包装技術に関連するものであり、特に、野菜や果物などの包装および保存に有効な包装用品に利用可能な包装用塗料類や、それを利用した包装用資材類、およびそれらを利用した包装用品類などを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                      
【背景技術】
【０００２】
（着目点）
果物や野菜を生産、輸送および販売する上で、色や形などの外観を高めると共に、できるだけ新鮮なまま顧客に届けることが肝要となるが、こうした生鮮食品類のフィルム製包装資材類は、例えば、適所に複数の通気孔を穿孔してエチレンガスの滞留を防止するようにしたものに留まらず、味覚の面でも糖度を高めてより美味しいものを提供しようとする技術の開発が多方面で進められており、例えば、下記の特許文献１（１）に提案されているものに代表されるように、合成樹脂ポリオレフィンに無機抗菌剤を単独もしくは天然物由来の抗菌物質、アロエ、カテキン、ヒノキチオール、孟宗竹から選ばれる一種を組み合せ配合、混入して成るものとした包装容器および包装用材フィルムは、それら包装容器および包装用材フィルムを構成する樹脂層に抗菌剤として無機系抗菌剤と天然物由来の抗菌剤とが単独または組み合せて含有し、従来の無機系抗菌剤を単独で使用する時より抗菌剤を多量に使用しなくても十分な抗菌作用が得られるようにしたものとなっている。
【０００３】
このように有効成分を練り込んだ樹脂製包装用フィルムなどの包装用品類は、本願出願人の独自の開発努力によって既に実用化の段階となっていたが、実際に使用して見ると、その有効成分が混合量の１％程度しか表面に露出しておらず、有効成分の混合割合に比較して果実や野菜の鮮度維持や呈味向上などの効果が薄く、生産コストに見合った効果を得るのが困難であるという欠点を生じてしまっていることが判明した。
【０００４】
また、樹脂フィルムメーカーに生産を委託した場合には、大量生産が標準の生産態勢となっているために少量生産が困難となり、小ロット生産食品用の包装用品の製造などには生産コストが嵩み、適さないという新たな問題点も生じてしまい、さらには、透明樹脂フィルムなどに上述のような添加物を混合すると、透明度が低下し、包装した生鮮食品類の品質を目視確認し難くなってしまったり、フィルム強度が低下して皺や破れなどを生じ易くなってしまうなど、新たな制約に対処していかなければならず、その利用範囲の拡大が難しいものとなっていた。
【０００５】
（従来の技術）
こうした理由から、本願出願人は、樹脂フィルムに直接、有効成分を塗布することはできないものかとの着想に至り、様々な思考錯誤を繰り返した末に、下記の特許文献１（２）に示す、ポリフェノールとトレハロース（登録商標、以下、全て同様であって表示を省略する）とを所定重量比で含むポレハ（登録商標、以下、全て同様であって表示を省略する）を、ポレハと水とが所定重量比、および、アルギン酸ナトリウムを、アルギン酸ナトリウムと前記水とが、所定重量比とするよう混合してなる食品包装用塗料を、包装体の少なくとも包装対象食品に接するかまたは近接する適宜範囲に、薄膜層状に定着した呈味調整皮膜層域を設けてなるものとした食品包装用塗料を利用した食品包装用品を既に開発済みとしており、今後、さらに鮮度維持および長期保存性能を改良したものを提供するため鋭意技術開発を進めているところである。
【０００６】
こうした状況にあって、同種の技術分野を見渡すと、ポリフェノール成分を印刷インキに添加する技術が数多く開発されており、下記の特許文献１（３）に代表するように、顔料３〜７０重量％を含む印刷インキ５００重量部に対し、ヒノキチオールおよび／またはヒノキチオールの包接化合物を１〜１０００重量部配合してなる鮮度保持用印刷インキ、該印刷インキをセロハンまたは合成樹脂フィルム上に印刷してなる青果物の鮮度保持用包装材料、並びに、該包装材料を用いる青果物の鮮度保持方法や、同特許文献１（４）のような、食品の鮮度を保持するための包装紙であって、紙または不織布に、ヒノキチオール若しくはその金属錯体またはそれらの塩を含む水溶液またはアルコール含有率２０ないし６０％のアルコール溶液を含浸、塗布または印刷した包装紙などが散見される。
【０００７】
しかし、特許文献１（３）に示されているようなポリフェノール成分を印刷インキに添加する技術は、添加する印刷インクとして、通常食品包装に使用されている印刷インクを用いているが、通常の包装用印刷は、生鮮食品に直接触れることのないフィルムや容器の外がわに施すのが一般的であり、包装容器の内側に印刷することはなく、従って、こうした食品包装用の印刷インクにポリフェノール成分を添加する技術を、そのまま食品包装の内側面に施して生鮮食品類に直接触れることは、食品の安全性に不安を残すものとなってしまう虞があり、また、特許文献１（４）に示したものなどは、包装紙や不織布などの基材表面に対し、一般的塗料のように安定に定着可能とする成分を積極的に添加したものとはなっておらず、ヒノキチオール、金属錯体またはそれらの塩を水溶液化、またはアルコール溶液化してなるものであり、抗菌性の溶液を包装紙に長期間にわたって定着させたい場合には、包装紙や不織布がわに、溶液を安定に定着させるための細かな凹凸形状や、粘着剤を塗布するなどの前処理が必要となり、こうした定着技術を併用しなければ、より長期間の鮮度保持を実現化するのが困難であるという欠点があった。                                        
【特許文献１】（１）特開２００３−９３０１１号公報    （２）特開２０１５−８６３３４号公報    （３）特開平６−１６９９０号公報    （４）特開２００９−２９４９１号公報
【発明の概要】
【発明が解決しようとする課題】
【０００８】
（問題意識）
上述したとおり、従前までに提案のある各種ポリフェノール成分を印刷インキに添加する技術は、印刷インキの食品安全性を確保しなければ、包装フィルムの食品類に直接接触する面に定着させて使用するのが困難なものであり、また、定着性の弱い抗菌性の溶液を塗布した包装紙類などは、さらに、長期間にわたる鮮度保持を実現化するのが難しいという欠点を有しており、こうした課題に着目した本願発明者兼出願人は、これまで開発済みとしてきた食品包装用塗料における抗菌成分について、さらに、長期間にわたって滅菌効果が得られる成分を探し求めると共に、塗装や印刷に際し、より安定した定着性能が得られ、しかも食品に直接接触しても高い安全性を確保できる粘料や、増粘剤などの利用を模索し、それらの成分を様々な組み合わせで試作し、実験を繰り返すうちに、食品安全性を確保しつつ、一段と長期間にわたって食品の鮮度を維持可能とする食品包装用塗料、および、それを利用した食品用包装容器を実現可能とするための構成につき、更なる改善の可能性を痛感するに至ったものである。
【０００９】
（発明の目的）
そこで、この発明は、抗菌、防黴、防臭などの性能を格段に高め、しかもその有効期間を大幅に延長し、食品類の鮮度を保持する性能を一段と高めることができる新たな食品用包装技術の開発はできないものかとの判断から、逸速くその開発、研究に着手し、長期に渡る試行錯誤と幾多の試作、実験とを繰り返してきた結果、今回、遂に新規な構造の食品包装用塗料、およびそれを利用した新規な構造の食品用包装容器を実現化することに成功したものであり、以下では、図面に示すこの発明を代表する実施例と共に、その構成を詳述することとする。                                                                                              
【課題を解決するための手段】
【００１０】
（発明の構成）
図面に示すこの発明を代表する実施例からも明確に理解されるように、この発明の食品包装用塗料は、基本的に次のような構成から成り立っている。
即ち、ヒノキチオール類に対し、澱粉糖を混合したヒノキチオール類・澱粉糖混合物に、粘料または増粘剤の少なくとも何れか一方の定着剤と、水と、エチルアルコールとを適量ずつ混合してなるものとした構成を要旨とする食品包装用塗料である。
【００１１】
この基本的な構成からなる食品包装用塗料は、より具体的に示すと、ヒノキチオール類と、トレハロース（登録商標。以下で「トレハロース」と記載のあるところでは、以下、同様。）またはサイクロデキストリンの少なくとも何れか一方の澱粉糖とを混合したヒノキチオール類・澱粉糖混合物に、粘料または増粘剤の少なくとも何れか一方の定着剤と、水と、エチルアルコールとを適量ずつ混合してなるものとした構成からなる食品包装用塗料となる。
【００１２】
さらにまた、ヒノキチオール類におけるＰＥＸ−α、ＰＥＸ−αｓ、ＰＥＸ−γｃ、ＰＥＸ−β、ＰＥＸ−δ（何れも商品名）の少なくとも何れか１種に対し、トレハロースまたはサイクロデキストリンの少なくとも何れか一方の澱粉糖を混合したヒノキチオール類・澱粉糖混合物に、粘料または増粘剤の少なくとも何れか一方の定着剤と、水と、カテキンと、エチルアルコールとを適量ずつ混合してなるものとした構成からなる食品包装用塗料となる。
【００１３】
また、表現を変えて示すならば、ヒノキチオール類に対し、澱粉糖を１：１５ないし１：６０の重量比で混合したヒノキチオール類・澱粉糖混合物に、同ヒノキチオール類・澱粉糖混合物と水とが、１：１００ないし１：２の重量比、および、粘料または増粘剤の少なくとも何れか一方の定着剤と前記水とが、１：１００ないし１：２の重量比、エチルアルコールと前記水とが、１：１００ないし１：２の重量比、カテキンを添加するものの場合には、カテキンと前記水とが、１：１００ないし１：２の重量比とするよう混合してなるものとした構成からなる食品包装用塗料と言うことが可能である。
【００１４】
（関連する発明）
上記した食品包装用塗料に関連し、この発明には、それを利用した食品用包装容器も包含している。
即ち、包装対象食品の一部または全部を包装可能な容器本体を有し、該包装対象食品を収容した場合に、同包装対象食品に接触可能に対峙する該容器本体内側壁の一部または全部に、の発明の基本をなす食品包装用塗料を主要成分とする塗料液を膜状に定着した滅菌塗装膜を設けた構成からなる食品用包装容器である。
【００１５】
この食品用包装容器を、より具体的なものとして示すと、包装対象食品の一部または全部を包装可能であって、一部または全部が透明または半透明の硬質素材製とした容器本体を有し、該包装対象食品を収容した場合に、同包装対象食品に接触可能に対峙する該容器本体内側壁の一部または全部に、この発明の基本をなす食品包装用塗料を主要成分とする水溶塗料液を膜状に定着した滅菌塗装膜を設けてなるものとした構成からなる食品用包装容器となる。
【００１６】
この食品用包装容器を、表現を変えて示すと、包装対象食品の一部または全部を包装可能であって、一部または全部が透明な軟質合成樹脂フィルム製の袋型とした容器本体を有し、該包装対象食品を収容した場合に、同包装対象食品に接触可能に対峙する該容器本体内側壁の一部または全部に、この発明の基本をなす食品包装用塗料を主要成分とする水溶塗料液を膜状に定着した滅菌塗装膜を設けてなるものとした構成からなる食品用包装容器と言うことができる。                                                                              
【発明の効果】
【００１７】
以上のとおり、この発明の食品包装用塗料によれば、従前までのものとは違い、上記したとおりの固有の特徴ある構成から、当該ヒノキチオール類・澱粉糖混合物による格段に秀でた滅菌効果を長期におよび発揮できるものとなり、収穫後の果実や野菜などの生鮮食品類を、その外的美観や輸送性、陳列性などが高まるよう包装すると共に、包装後の果実や野菜など包装対象物の酸化傷害を防ぐ上、糖度を向上させて収穫後に品質を高めることができる新たな包装技術を提供することができ、特に、ヒノキチオール類・澱粉糖混合物を水と混合することにより、給水性や吸湿性、適度な表面粗さや凹凸などを有するような様々な物品などに対し、各種印刷技術やスタンプ技術、吹き付け塗装技術、刷毛塗り塗装技術などを利用して印刷または塗装することができ、しかも当該ヒノキチオール類・澱粉糖混合物に定着剤を添加したから、当該食品包装用塗料を主要成分とする水溶塗料液を、食品用包装容器の容器本体内側壁に膜状に確りと定着させることができ、従来品に比較し、生鮮食料品の鮮度をより長期間維持するでき、保存期間中に渡って格段に秀でた防黴、防菌、防臭、鮮度保持効果を達成させることになるという大きな特徴が得られる。
【００１８】
加えて、この発明の食品包装用塗料にあっては、ヒノキチオール類、より具体的には、ＰＥＸ−α、ＰＥＸ−αｓ、ＰＥＸ−γｃ、ＰＥＸ−β、ＰＥＸ−δの少なくとも何れか１種を含有することとなり、防黴、防菌、防臭、鮮度保持効果を格段に高めたものとすることができ、さらに、該ヒノキチオール類に対し、トレハロースまたはサイクロデキストリンの少なくとも何れか一方の澱粉糖とを混合したヒノキチオール類・澱粉糖混合物を含有していることから、保存期間中に渡り、糖度を高めながら調整し、呈味を改善することができるという秀でた特徴を発揮することとなる。
【００１９】
さらに、アルギン酸ナトリウム、アルギン酸カリウムまたはアルギン酸エステルの少なくとも何れか一つからなる粘料、または、コンニャク粉、オオバコ、グァーガム、その他の澱粉類の少なくとも１種からなる増粘剤の少なくとも何れか一方の定着剤を含有するものとしたから、従前までであれば、合成樹脂製フィルムなどのように表面が平滑で柔軟性を有する物品に印刷した場合、乾燥後に印刷層が剥離・脱落してしまうという難点を有していたものが、それらを大幅に改善して格段に秀でた定着安定性を得ることができる上に、調湿機能や保湿機能をも付加することができ、従前までであれば得られなかった鮮度維持機能、糖度調整機能および呈味向上などといった機能が格段に秀でてなる印刷物や塗装品などを、より巾広く提供できるようになるという新たな効果を奏するものとなる。
【００２０】
この発明の食品包装用塗料を利用した食品用包装容器は、その容器本体が包装した包装対象食品の、少なくとも同包装対象食品物に接触可能に対峙する器本体内側壁の一部または全部に、食品包装用塗料を主要成分とする塗料液を膜状に定着した滅菌塗装膜を設けたから、滅菌成分を樹脂性フィルムに練り込んで一体に含有するものとした場合に生じるフィルム強度の低下という問題を解消して包装品質の向上を達成できる上、塗装や印刷技術の採用により、既存の塗装機や印刷機械などを利用するだけで、外部発注することなく社内生産により、短時間の中に大ロット生産から小ロット生産まで、より柔軟且つ経済的に包装対応可能なものとすることができ、商品開発から出荷までのリードタイムを大幅短縮して、季節ものの生鮮食料品の臨時出荷など、従前までであれば対応困難な商品包装にも簡単、迅速な対応を実現化すると共に、生産コストの課題を大幅に解消できるものとし、さらに、使用した食品包装用塗料成分の殆どが、包装対象食品に面して露出状となり、その防黴、防菌、防臭効果を遺憾なく発揮し得るものとすることができるから、従来品に比較し、より長期間に渡って高い鮮度維持機能を達成できるという利点が得られる。
【００２１】
加えて、一部または全部が透明または半透明の硬質素材製とした容器本体を有するもの、および、一部または全部が透明な軟質合成樹脂フィルム製の袋型とした容器本体を有するものなど、様々な当該食品包装用塗料成分を含む滅菌塗装膜を安定して定着させたものとすることができるから、多種多様の食品用包装容器に採用することができるものとなり、しかも食品包装用塗料を、水に対し０．１ないし５％希釈とした水溶塗料液を連続膜状に定着した滅菌塗装膜を設けてなるものとすることにより、容器本体内側壁をより確実に滅菌すると共に、長期的な鮮度維持効果を一段と確実に達成するものとなり、また、同水溶塗料液を断続膜状に定着した滅菌塗装膜を設けてなるものは、連続膜状に定着した滅菌塗装膜に比較して、容器本体内側壁からの大規模な剥離を、より確実に防止できるものとなってその定着力を格段に向上できる上、断続膜の形状が、半透明の模様状に表示されるものとなって、滅菌塗装膜の存在をより鮮明に視覚化することができるから、食品用包装容器の有効成分の存在を宣伝、アピールする効果を得るものとなり、外観的美観を高めて、誰もが一目で確認することができるから、誤使用を確実に防止し、確認作業を簡単にして生産効率を格段に高めることができるだけでなく、利用者および消費者がその効果を円滑に理解することができるものとなる上、市場における当該食品包装用品、およびそれを利用した包装食品の付加価値を高めると共に、断続膜状に散在する滅菌塗装膜間に、容器本体の透明部分が残るから覗き窓となって、容器本体内の包装対象食品の品質を簡単、確実に目視確認することができるという利便性を兼ね備えたものとすることができる。                                                              
【発明を実施するための最良の形態】
【００２２】
上記したとおりの構成からなるこの発明の実施に際し、その最良もしくは望ましい形態について説明を加えることにする。
ヒノキチオール類・澱粉糖混合物は、抗菌性を有して包装対象食品の防黴、防菌、防臭、鮮度保持、および、抗菌性を有して包装対象食品の保存性を高めると共に、包装対象食品の糖度を調整して呈味を向上する機能を担い、下記ヒノキチオール類および澱粉糖を適宜割合に混合してなるものとしなければならない。
【００２３】
ヒノキチオール類は、包装対象食品の食品安全性を確保しつつ、抗菌性を有して包装対象食品の防黴、防菌、防臭、鮮度保持の機能を担うものであり、植物由来エキスに含まれる成分と言うことができ、より具体的なものとして示すならば、ヒノキチオール類としては、後述する実施例にも示すとおり、何れも、商品名ＰＥＸ−α、ＰＥＸ−αｓ、ＰＥＸ−γｃ、ＰＥＸ−β、ＰＥＸ−δとして提供のあるものとすることが可能である。
【００２４】
澱粉糖は、抗菌性を有して包装対象食品の保存性を高め、包装対象食品の糖度を調整して呈味を向可能とする機能を担い、澱粉由来の天然糖質成分としなければならず、例えば、後述する実施例にも示すように、トレハロースまたはサイクロデキストリンの少なくとも何れか一方とするのが望ましく、トレハロースは、抗菌性を有して包装対象食品の保存性を高めると共に、包装対象食品の糖度を調整して呈味を向上する機能を担い、２つのα−グルコースが１，１−グリコシド結合してできた二糖の一種であるということができ、澱粉から大量生産可能な株式会社林原製のものを利用するのが望ましく、３種類の異性体、α，α体、α，β体およびβ，β体の何れであってもよい。
【００２５】
定着剤としての粘料および増粘剤は、この発明の食品包装用塗料が包装対象食品に接触または近接した場合においても、食品としての安全性を確保可能なものとする上、この発明の食品包装用塗料を対象容器本体に対し、より安定に定着可能とする機能を担い、誤って食品と共に飲食してしまった場合にも充分な安全性を確保可能な素材製のものとしなければならず、例えば、粘料は後述する実施例にも示すように、アルギン酸ナトリウム、アルギン酸カリウムまたはアルギン酸エステルの少なくとも１つとすることができ、また、増粘剤は、コンニャク粉、オオバコ、グァーガム、その他の澱粉類などの中の何れか１種か、または、それら何れかの組み合わせなどからなるものとすることが可能である。
【００２６】
水は、この発明の食品包装用塗料を塗装や印刷などに適した濃度の水溶液とする機能を担い、食品としての安全を確保可能な程度に充分な品質を確保したものとしなければならず、例えば飲料用となる上水道水や、それに準ずる衛生管理を行うか、それ以上の水質を確保し、食品としても安全な水としなければならない。
【００２７】
この発明の食品包装用塗料は、ヒノキチオール類・澱粉糖混合物と水とが、１：１００ないし１：２の重量比に混合してなるものとするのが望ましく、この重量比範囲を外れてしまうと、塗装や印刷の作業性、および塗装や印刷後の品質を低下させてしまう虞を生じさせてしまうこととなるが、この重量比範囲に設定することにより、鮮度維持、糖度調整および呈味を向上する作用を高めることができ、また、アルギン酸ナトリウム、アルギン酸カリウムまたはアルギン酸エステルの少なくとも何れか一つからなる粘料、あるいはコンニャク粉、オオバコ、グァーガム、その他の澱粉類の少なくとも１種からなる増粘剤の少なくとも何れか一方からなる定着剤と、記水とが１：１００ないし１：２の重量比とするよう混合してなるものとするのが望ましく、この重量比範囲を外れさせると、乾燥後の定着力が低下したり、粘度が高すぎて塗装や印刷にムラを生じてしまう虞があり、この重量比範囲に設定することにより、塗装や印刷を高品質で行うことができる上、塗装や印刷後にも安定した定着力を呈するものとすることが可能となる。
【００２８】
容器本体は、包装対象食品の一部または全部を包装可能とする機能を担い、包装用紙、包装用フィルム、包装用箱、包装用トレー、包装容器、包装袋などといった様々なものとすることができ、未加工または半加工シート状の包装素材体を加工したり、組み立てたりしてなるものということができ、より具体的には、樹脂フィルム、不織布、ヒートロン（登録商標）、和紙、スパンボンド（登録商標）、ロール和紙、段ボール、板紙、紙トレー、ＯＰ・ＰＥＴトレー容器、発泡スチロール容器、食品容器などとすることができ、防雲ＯＰＰ、ＯＰＰ、片面ヒートシールタイプＯＰ、両面ヒートシールタイプＯＰなどの樹
脂フィルム、バリアＮＹ、バリアＰＥＴ、ＰＥＴ、ＡＬ、ＣＰＰ、ＰＰ、ＰＥ、ラミネートフィルム、強化ポリなどのフィルム、または、それらの多層フィルム、ウレタン、スポンジなどのフルーツキャップ（商品名：緩衝材）、その他、様々な包装用品の本体部分であるということができ、また、食品以外の包装用品や、一般には包装用に頻繁には利用しない素材体や、全く包装用に利用されない素材体なども利用可能であって、例えるならば、布、木材、金属、皮革、ゴム、ゲル、石、貝殻、植物の葉、植物繊維、天然繊維、合成繊維、ガラス繊維、炭素繊維、その他のあらゆる素材体とすることができ、さらに、表現を変えると。容器本体の完成前段階の未加工または半加工の素材体であるということができ、フィルム、シート、テープ、紐、リボン、袋、箱、トレー、カップ、バケツ、ポット、蓋、その他の各種性状の素材体とすることが可能である。
【００２９】
この発明の食品用包装容器を製造する技術分野で使用する印刷機は、様々な包装対象食品の一部または全部を包装可能な包装用資材および容器本体の適宜範囲に印刷可能とするものであり、具体的には、グラビア印刷機、オフセット枚葉印刷機、オフセット輪転印刷機、フレキソ印刷機、活版印刷機、スクリーン印刷機、シール印刷機、デジタル印刷機、オンデマンド印刷機、各種プリンター、その他、目的と利便性および利用可能性に応じて適宜、印刷機を選択して利用することが可能となり、刷毛塗り機能やスタンプ機能、吹き付け塗装機能などを有する様々な塗装機械や工業用ロボットなどに置き換えることができるという利便性を兼備する。
【００３０】
包装対象食品は、食品用包装容器によって包装した生鮮食品全般ということができ、より具体的には、野菜、根菜、果物、穀物、それらやその他の加工食品類ということができ、より具体的には、例えば、茄子、トマト、苺、ネギ、小松菜、ほうれん草、ブロッコリー、モロヘイヤ、アスパラガス、枝豆、その他殆ど全ての野菜、ゴボウ、ジャガイモ、長いも、その他殆ど全ての根菜、サクランボ、ラ・フランス、和梨、バナナ、林檎、桃、葡萄、その他殆ど全ての果物、玄米、白米、麦、大豆、小豆、その他の穀類、肉、魚介類、および、カット野菜、カット果物、サラダ、惣菜、オードブル、弁当、サンドイッチ、調理パン、菓子、その他殆ど全ての加工食品や調理食品、お茶、コーヒーなどの原料および加工食品類などということができ、さらにまた、食品以外、の鮮度を保持する必要のある有機物や薬品類、酸化や劣化の防止を要する無機物など様々な物品に置き換えて、それら全てを包装の対象物とすることができる。
以下では、図面に示すこの発明を代表する実施例と共に、その構造について詳述することとする                                                                                
【図面の簡単な説明】
【００３１】
図面は、この発明の食品包装用塗料、およびそれを利用した食品用包装容器の技術的思想を具現化した代表的な幾つかの実施例を示すものである。
【図１】食品包装用塗料の製造工程および素材構成を示すブロック図である。
【図２】食品包装用塗料の吹き付け塗装工程を示す斜視図である。
【図３】食品包装用塗料の印刷工程を示す正面図である。
【図４】この発明の食品用包装容器を示す三面図である。
【図５】この発明の食品用包装容器を示す斜視図である。
【図６】食品用包装容器の他の例を示す正面図および平面図である。
【実施例１】
【００３２】
図１に示す事例は、ヒノキチオール類としてのＰＥＸ−α、ＰＥＸ−αｓ、ＰＥＸ−γｃ、ＰＥＸ−β、ＰＥＸ−δの少なくとも何れか１種に、トレハロースまたはサイクロデキストリンの少なくとも何れか一方の澱粉糖３を混合したヒノキチオール類・澱粉糖混合物Ｐに、粘料４０または増粘剤４１の少なくとも何れか一方の定着剤４と、水５と、エチルアルコール７とを適量ずつ混合してなるものとした、この発明の食品包装用塗料１における代表的な一実施例を示すものである。
【００３３】
図１からも明確なように、この発明の食品包装用塗料１は、植物抽出エキスから得たヒノキチオール類としてのＰＥＸ−α、ＰＥＸ−αｓ、ＰＥＸ−γｃ、ＰＥＸ−β、ＰＥＸ−δ（何れも商品名）の少なくとも何れか１種２と、トレハロースまたはサイクロデキストリンの少なくとも何れか一方からなる澱粉糖３とを１：１５ないし１：６０の重量比に混合し、ヒノキチオール類・澱粉糖混合物Ｐとしたものを用い、同ヒノキチオール類・澱粉糖混合物Ｐと水５とが、１：１００ないし１：２の重量比、アルギン酸ナトリウム、アルギン酸カリウムまたはアルギン酸エステルの少なくとも何れか一つからなるものとした粘料４０、またはコンニャク粉、オオバコ、グァーガム、その他の澱粉類の少なくとも１種からなるものとした増粘剤４１の少なくとも何れか一方の定着剤４と前記水５とを、１：１００ないし１：２の重量比、エチルアルコール７と前記水５とが、１：１００ないし１：２の重量比、カテキン６と前記水５とが、１：１００ないし１：２の重量比とするよう混合してなるものである。
【００３４】
（実施例１の作用・効果）
以上のとおりの構成からなるこの発明の食品包装用塗料１は、図２ないし図６に示すように、包装対象食品の一部または全部を包装可能な容器本体８０を有し、該包装対象食品を収容した場合に、同包装対象食品に接触可能に対峙する該容器本体８０内側壁８１の一部または全部に滅菌塗装膜１１を設けてなる、この発明の食品用包装容器８の製造に用いることが可能である。
以下に、この発明の食品用包装容器８の製造工程および包装利用過程を示しながら、当該食品用包装容器８の構造について明示して行くこととする。
【００３５】
図２に示すように、一部または全部が透明または半透明の硬質合成樹脂製の容器本体８０を有し、包装対象食品（図示せず）を収容した場合に、同包装対象食品に接触可能に対峙する該容器本体８０内側壁８１の一部または全部に、当該食品包装用塗料１を、水５に対し０．１ないし５％希釈とした水溶塗料液１０を吹き付け塗装し、連続膜状に定着した滅菌塗装膜１１を設けてなるものとした食品用包装容器８を製造することが可能である。
【００３６】
また、図３ないし図５に示すように、一部または全部が透明な軟質合成樹脂フィルム製の袋型の食品用包装容器８容器本体８０の素材となる包装用フィルム８４は、包装対象食品に接触可能に対峙する該容器本体８０内側壁８１となる面の一部または全部に対し、当該食品包装用塗料１を、水５に対し０．１ないし５％希釈とした水溶塗料液１０を、グラビア印刷機９により、破線形の断続膜状に定着した滅菌塗装膜１１とするよう印刷したものとした上、三方シール自動製袋機（図示せず）に、該包装用フィルム８５を供給し、図４および図５に示すように、表面の内側壁８１に滅菌塗装膜１１が、上下適宜間隔を隔てた複数本の破線状に配するよう製袋してなり、図４中の側面図の背面内側壁８３に破線縞で示す範囲のみに滅菌塗装膜１１を設けたものとすることができる外、該背面内側壁８３に加えて、同図４中の側面図の前面内側壁８２にも、細い一点鎖線縞で示す範囲に同じ滅菌塗装膜１１を設けたものとすることが可能であり、下端有底、且つ上部適所に持ち手孔付きの食品用包装容器８としての三方シール袋８や、図６に示すような、上端寄り適所にチャックシール８５付きとした食品用包装容器８としての三方シール袋８を製造することが可能である。
【００３７】
下記表１に示すように、この発明の食品用包装容器８の滅菌塗装膜１１は、水溶塗料液１０の殺菌力試験に基づけば、接触１０分後にＯ−１５７およびサルモネラ菌を完全に消滅可能なものとなり、しかも当該滅菌塗装膜１１は、定着剤４をともなって食品用包装容器８容器本体８０内側壁８１に確りと点在状に定着しているから、特に広範囲にわたる剥離、脱落を確実に防止し、長期間にわたり、その殺菌作用を確実に持続できるものとし、格段の包装対象食品長期保存性能を達成可能なものとなる。                                                    
【表１】
0006419752.tif 000002
【００３８】
（結  び）
叙述の如く、この発明の食品包装用塗料、およびそれを利用した食品用包装容器は、その新規な構成によって所期の目的を遍く達成可能とするものであり、しかも製造も容易で、従前からの包装技術に比較して、防黴、防菌、防臭性能を格段に高め、生鮮食品などの鮮度維持期間を大幅に長期化することができる上、効率的且つ低廉に生産および提供可能なものとし、遥かに経済的なものとすることができるから、鮮度および品質管理を重視する農産物生産者、食品流通業界および食品販売業界はもとより、これまで店頭に陳列されている間に鮮度が低下してしまい、購入後、短期間の中に消費しなければ、新鮮な食品を味わうことができなかった消費者においても、格段の長期保存と、外観向上および呈味改善とを達成できる高機能が高く評価され、広範に渡って利用、普及していくものになると予想される。                                                                              
【符号の説明】
【００３９】
１      食品包装用塗料
１０    同  塗料液
１１    同  滅菌塗装膜
２      ヒノキチオール類
Ｐ      ヒノキチオール類・澱粉糖混合物
３      澱粉糖
４      定着剤
４０    同  粘料
４１    同  増粘剤
５      水
６      カテキン
７      エチルアルコール
８      食品用包装容器
８０    同  容器本体
８１    同  内側壁
８２    同  前面内側壁
８３    同  背面内側壁
８４    同  包装用フィルム
８５    同  チャックシール
９      グラビア印刷機
【図１】
0006419752.tif 000003
【図２】
0006419752.tif 000004
【図３】
0006419752.tif 000005
【図４】
0006419752.tif 000006
【図５】
0006419752.tif 000007
【図６】
0006419752.tif 000008